(57)【要約】      （修正有）【課題】合成樹脂から比較的安価に製造することができるにも拘らず、締付トルクを充分大きくすることができる、締付トルク管理具及び締付トルク管理具と締結具との組み合わせを提供する。【解決手段】締付トルク管理具は合成樹脂から一体に形成された締結具収納部４と締付トルク付加部とを含む。締結具収納部４には自由端部が開口された収納穴８が形成されており、収納穴８の内周面は締結具のトルク付加正多角形外周面に対応した正多角形内周面の各辺面１５の中間部に凹部１６を形成した形態である。収納穴８を規定している正多角形内周面に対応した正多角形内周面の辺面１５における、締付回転方向に見て凹部１６の上流側に位置する部分１５ｂには収納穴８には、例えば収納穴８の軸線方向に延在するリブ２１から構成される保持突出部が配設されている。【選択図】図５
2019038062.tif 000002
【特許請求の範囲】
【請求項１】
合成樹脂から一体に形成された締結具収納部と締付トルク付加部とを含み、
該締結具収納部には自由端部が開口された収納穴が形成されており、該収納穴の内周面は締結具のトルク付加正多角形外周面に対応した正多角形内周面の各辺面の中間部に凹部を形成した形態であり、
締付回転方向に見て該正多角形内周面の辺面における該凹部の上流側に位置する部分には保持突出部が配設されており、
該締付トルク付加部に加えられ該締結具収納部を介して締結具に伝達される締付トルクが閾値を超えると、該収納穴の内周面が変形されて締結具に対して該締結具収納部が空転するようになり、かくして締結具の締付トルクが管理される、
ことを特徴とする締付トルク管理具。
【請求項２】
該保持突出部は該収納穴の軸線方向に延在するリブである、請求項１記載の締付トルク管理具。
【請求項３】
該リブの突出高さは０．１乃至０．５ｍｍである、該リブの周方向幅は０．１乃至０．５ｍｍである、請求項２記載の締付トルク管理具。
【請求項４】
該リブの突出端部の横断面形状は半円形状である、請求項２又は３までのいずれかに記載の締付トルク管理具。
【請求項５】
該トルク付加正多角形外周面は正六角形であり、６個の辺面の各々において該凹部の上流側に位置する部分に該保持突出部が配設されている、請求項１から４までのいずれかに記載の締付トルク管理具。
【請求項６】
該締付トルク付加部の外周面は締結具のトルク付加正多角形外周面に対応した正多角形である、請求項１から５までのいずれかに記載の締結トルク管理具。
【請求項７】
請求項１から６までのいずれかに記載の締付トルク管理具と、該締付トルク管理具の該収納穴に少なくとも部分的に収納された締結具との組み合わせ。
【請求項８】
該締結具は該収納穴内に圧入されている、請求項７記載の組み合わせ。
【請求項９】
該締結具は六角ナットである、請求項７又は８記載の組み合わせ。
【発明の詳細な説明】
【技術分野】
【０００１】
本発明は、ナット又はボルトの如き締結具を所要トルクで締め付けるための締付トルク管理具及びかかる締付トルク管理具と締結具との組み合わせに関する。
【背景技術】
【０００２】
例えば高速道路における遮音壁の取り付け、トンネル等の天井壁の取り付け或いは各種建造物における種々の部品の取り付けにおいては、周知の如くボルトとナットとの締結が多数使用されている。そして、かような締結においてはボルトに対してナット（通常は緩み止めナット）を、例えば呼び径Ｍ１０の六角ナットの場合には１７乃至２４Ｎｍ程度である、比較的大きな所要トルクで締め付けることが重要である。下記特許文献１及び２には、ボルトに対してナットを或いはナットに対してボルトを所要トルクで締め付ける際に使用することができる締付トルク管理具が開示されている。かかる締付トルク管理具は、所要トルクで破断される接続部によって一体に接続されている締結具収納部と締付トルク付加部とを含んでいる。締結具収納部内にナット或いはボルトの頭部を収納し、そして締付トルク付加部にトルクを加えてナットをボルトに或いはボルトをナットに締め付ける。締付トルク付加部に加えられ締結部収納部を介してナット或いはボルトに加えられる締付トルクが閾値を超えると、接続部が破断されて締付トルク付加部が締結具収納部から分離され、かくしてボルトに対してナットが或いはナットに対してボルトが所要トルクで締め付けられる。
【先行技術文献】
【特許文献】
【０００３】
【特許文献１】特開２００１−１４０８３２公報
【特許文献２】特開２０１５−２２４７８１公報
【発明の概要】
【発明が解決しようとする課題】
【０００４】
而して、上記特許文献１及び２に開示されている締付トルク管理具には、特に比較的大きな締付トルクを必要とする場合、全体を鉄の如き強靭な金属から形成することが必要であり、それ故に製造コストが高価である、という解決すべき問題がある。製造コストを低減するために適宜の合成樹脂から形成すると、締結具収納部と締付トルク付加部とを接続している接続部が、締付トルク付加部に加えられる締付トルクが小さい時点で破断されてしまう。
【０００５】
上記特許文献１及び２に開示されている締付トルク管理具における上記のとおりの問題を解決するために、本発明者等は、先に特願２０１６−１３９１５２の明細書において、従来の形態とは全く異なった独特な形態の締付トルク管理具を提案した。かかる締付トルク管理具は、合成樹脂から一体に形成された締結具収納部と締付トルク付加部とを含む。締結具収納部には自由端部が開口された収納穴が形成されており、この収納穴は締結具のトルク付加正多角形外周面に対応した正多角形内周面の各辺面の中間部に凹部を形成した形態である。締付トルク付加部に加えられ締結具収納部を介して締結具に伝達される締付トルクが閾値を超えると、収納穴の内周面が変形されて締結具に対して締結具収納部が空転するようになり、かくして締結具の締付トルクが管理される。
【０００６】
本発明者等が提案した上記のとおりの締付トルク管理具は、ポリカーボネート及びアクリロニトリルブタジエンスチレンの如き適宜の合成樹脂から形成しても、収納穴の内周面の変形が開始される締付トルクを充分高い値にすることができ、従って適宜の合成樹脂から形成することによって製造コストを低減することが可能になる。
【０００７】
しかしながら、本発明者等の経験によれば、本発明者等が提案した上記のとおりの締付トルク管理具も、未だ充分に満足し得るものではなく、次のとおりの問題を有することが判明した。即ち、合成樹脂製の締付トルク管理具は、射出成形或いは圧縮成形によって充分精密に成形することができ、製作公差を充分に小さくすることができる。一方、当業者には周知の如く、広く販売されている通常の締結具、即ち通常のナット或いはボルトの製作公差は比較的大きい。それ故に、特に締付トルク管理具の締結具収納部に形成されている収納穴内にナット或いはボルトの頭を圧入し締付トルク管理具と締結具とを組み合わせて市場に提供する場合、（１）収納穴に対してナット或いはボルトの頭が過剰に大きいと、収納穴にナット或いはボルトの頭を圧入する際に大きな力を必要とし、締結具収納部に大きな応力が生成され、これに起因して実際にナット或いはボルトをボルト或いはナットに締め付ける際に締付トルク管理具の締結具収納部が破断されてしまう傾向があり、（２）他方、収納穴に対してナット或いはボルトの頭が過剰に小さいと、微細な力によって収納穴内にナット或いはボルトの頭が収納されるが、搬送時の振動等に起因して収納穴からナット或いはボルトの頭が脱落してしまう虞が少なくない。
【０００８】
本発明は上記事実に鑑みてなされたものであり、その主たる技術的課題は、本発明者等が先に提案した上記のとおりの締付トルク管理具に更に改良を加えて、締結具の比較的大きい製作公差に起因して締結具収納部の収納穴に締結具を収納する際の必要な力が過大になる或いは過小になることが可及的に回避される、新規且つ改良された締付トルク管理具を提供すること、そしてまたかかる締付トルク管理具と締結具との新規且つ改良された組み合わせを提供することである。
【課題を解決するための手段】
【０００９】
本発明者等は、鋭意検討及び実験の結果、収納穴を規定している正多角形内周面に対応した正多角形内周面の辺面における、締付回転方向に見て凹部の上流側に位置する部分に保持突出部を配設することによって上記主たる技術的課題を達成することができることを見出した。
【００１０】
即ち、本発明の一局面によれば、上記主たる技術的課題を達成する締付トルク管理具として、合成樹脂から一体に形成された締結具収納部と締付トルク付加部とを含み、
該締結具収納部には自由端部が開口された収納穴が形成されており、該収納穴の内周面は締結具のトルク付加正多角形外周面に対応した正多角形内周面の各辺面の中間部に凹部を形成した形態であり、
締付回転方向に見て該正多角形内周面の辺面における該凹部の上流側に位置する部分には保持突出部が配設されており、
該締付トルク付加部に加えられ該締結具収納部を介して締結具に伝達される締付トルクが閾値を超えると、該収納穴の内周面が変形されて締結具に対して該締結具収納部が空転するようになり、かくして締結具の締付トルクが管理される、
ことを特徴とする締付トルク管理具が提供される。
【００１１】
好ましくは、該保持突出部は該収納穴の軸線方向に延在するリブである。該リブの突出高さは０．１乃至０．５ｍｍであり、該リブの周方向幅は０．１乃至０．５ｍｍであるのが好適である。好適には、該リブの突出端部の横断面形状は半円形状である。該トルク付加正多角形外周面は正六角形であり、６個の辺面の各々において該凹部の上流側に位置する部分に該保持突出部が配設されているのが望ましい。該締付トルク付加部の外周面は締結具のトルク付加正多角形外周面に対応した正多角形であるのが好都合である。
【００１２】
本発明の他の局面によれば、上記主たる技術的課題を解決する締付トルク管理具と締結具との組み合わせとして、本発明の第一の局面によって提供される締付トルク管理具と該締付トルク管理具の該収納穴に少なくとも部分的に収納された締結具との組み合わせが提供される。
【００１３】
該締結具は該収納穴内に圧入されているのが好適である。該締結具は六角ナットでよい。
【発明の効果】
【００１４】
本発明の締付トルク管理具及び締付トルク管理具と締結具との組み合わせにおいては、締付トルク管理具が合成樹脂から形成されている、従って比較的安価に製造することができるにも拘らず、締付トルクを充分大きくすることができる。そして更に、締結具収納部の収納穴に締結具を圧入する際には、締結具の比較的大きな製作公差が、辺面における締付回転方向に見て凹部の上流側に配設された保持突出部の弾性変形及び／又は塑性変形によって補償され、圧入に必要な力が過大或いは過小になってしまうことが可及的に回避される。
【図面の簡単な説明】
【００１５】
【図１】本発明に従って構成された締付トルク管理具の好適実施形態を上方から見た斜面図。
【図２】図１に示す締付トルク管理具を下方から見た斜面図。
【図３】図１に示す締付トルク管理具の、一部を断面で示す正面図。
【図４】図１に示す締付トルク管理具の平面図。
【図５】図１に示す締付トルク管理具の底面図。
【図６】図１に示す締付トルク管理具と締結具の典型例あるナットとの組み合わせの、一部を断面で示す正面図。
【図７】図６に示す組み合わせの断面図。
【図８】図６に示す組み合わせにおいて、ナットの締付トルクが閾値を超えてナットに対して締付トルク管理具が空転した状態を示す断面図。
【図９】保持突出部の変形例を示す、図７と同様の断面図。
【発明を実施するための形態】
【００１６】
以下、本発明に従って構成された締付トルク管理具の好適実施形態及びかかる実施形態と締結具の典型例であるナットとの組み合わせを示す添付図面を参照して、更に詳述する。
【００１７】
図１乃至図３を参照して説明すると、全体を番号２で示す締付トルク管理具は、適宜の合成樹脂、好ましくはポリカーボネート或いはアクリロニトリルブタジエンスチレン（ＡＢＳ）の如き比較的高強度の合成樹脂、から射出成形或いは圧縮成形によって一体に形成されている。かかる締付トルク管理具２は、その略下半部を構成している締結具収納部４とその略上半部を構成している締付トルク付加部６とを含んでいる。
【００１８】
図１乃至図３と共に図４及び図５を参照して説明を続けると、締結具収納部４は全体として筒形状であり、自由端部即ち下端が開放された収納穴８が形成されている。締結具収納部４の環状下面１０は平坦であり、同様に環状上面１２も平坦であり環状下面１０と平行に延在している。締結具収納部４の外周面１４は円筒形状である。
【００１９】
上記収納穴８の内周面は、収納する締結具のトルク付加正多角形外周面に対応した仮想正多角形内周面の各辺面１５の中間部に凹部１６を形成した形態であることが重要である。図示の実施形態においては、後述するとおり締結具は六角ナットであり、従って締結具のトルク付加正多角形外周面は正六角形であり、仮想正多角形内周面（図５に二点鎖線で示す内周面）も正六角形である。凹部１６の各々は底面１６ａと共に両側面、即ち締付回転方向（図４において時計方向、図５において反時計方向）に見て上流側に位置する上流面１６ｂ及び下流側に位置する下流面１６ｃを有する。底面１６ａと上流面１６ｂとが形成する角度αは、１００乃至１６０度程度であるのが殊に好ましい、鈍角であるのが好適である。図示の実施形態においては、底面１６ａは外周面１４と同心状の円の一部をなす円弧形状であり、上流面１６ｂは辺面１５に対して上記締付回転方向に傾斜して外方に傾斜して延在している。底面１６ａと上流面１６ｂとは弧状境界面１６ｄを介して滑らかに接続されているのが好適である。一方、下流面１６ｃは辺面１５に対して垂直に延在している。上記締付回転方向において凹部１６よりも下流側の辺面１５ａの周方向長さＬ１は凹部１６よりも上流の辺面１５ｂの周方向長さＬ２よりも長いのが好都合である（この場合には、後の説明から明確に理解される如く、締付トルクの閾値は凹部１６よりも下流側の辺面１５ａの変形によって規定される）。図３を参照することによって理解される如く、締結具収納部４の環状下面１０に開口する収納穴８の内周面下端部には面取加工が施されている。図示の実施形態においては、締結具収納部４には上記収納穴８の上端に続く連通穴１８も形成されている。図５を参照することによって明確に理解される如く、連通穴１８の横断面形状は円形であり、その直径は上記収納穴８における仮想正六角形に内接する円の直径よりも幾分小さく、収納穴８と連通穴１８との境界には下方を向いた円環状肩面２０が規定されている。
【００２０】
本発明に従って構成された締付トルク管理具２においては、上記収納穴８の内周面を規定する上記辺面１５における上記締付回転方向（図４において時計方向、図５において反時計方向）に見て上記凹部１６の上流側に位置する部分１５ｂには保持突出部が配設されていることが重要である。図示の実施形態においては、保持突出部は、収納穴８の軸線方向（図３において上下方向、図５において紙面に垂直な方向）に、好ましくは収納穴８の軸線に実質上平行に、延びるリブ２１が形成されている。図示の実施形態においては、６個の辺面１５の部分１５ｂの各々において保持突出部即ちリブ２１が形成されている。リブ２１の各々は図２及び図３を参照することによって明確に理解される如く、収納穴８の上端から下端近傍まで収納穴８の軸線に実質上平行に延びている。特に締結具が呼び径Ｍ８、Ｍ１０或いはＭ１２である場合、リブ２１の突出高さＨは０．１乃至０．５ｍｍ程度であり、リブ２１の各々の周方向幅Ｗは０．１乃至０．５ｍｍ程度であるのが好適である。リブ２１の突出端部の横断面形状は、図５に図示する如く半円形状であるのが好都合である。図示の実施形態においては、６個の辺面１５の部分１５ｂの全てにおいてリブ２１を形成しているが、所望ならば、例えば１個置きに位置する３個の辺面１５或いは直径方向に対向して位置する２個の辺面１５の部分１５ｂのみにリブ２１を形成することもできる。
【００２１】
保持突出部を構成するリブ２１は、辺面１５における締付回転方向に見て凹部１６の上流側に位置する部分１５ｂのみではなく、辺面１５における締付回転方向に見て凹部１６の下流側に位置する部分１５ａにも形成することもできる。しかしながら、辺面１５における締付回転方向に見て凹部１６の下流側に位置する部分１５ａにも形成した場合、後述する如く締付トルクが閾値に達する際には辺面１５における締付回転方向に見て凹部１６の下流側に位置する部分１５ａが主として変形される故、辺面１５の変形に先立ってリブがその全体に渡って変形され、これに起因して締付トルクが閾値に達する前に締付トルク管理具２が締結具から離脱してしまう傾向がある。従って、辺面１５における締付回転方向に見て凹部１６の下流側に位置する部分１５ａにはリブ２１を配設しないことが望ましい。
【００２２】
図１乃至図４を参照して説明を続けると、上記締結具収納部４の環状上面１２から上方に延出する締付トルク付加部６も全体として筒形状であり、上下方向に延びる貫通穴２２を有する。図３から明確に理解される如く、貫通穴２２は上記連通穴１８を介して上記収納穴８に連通されている。貫通穴２２の横断面形状は円形であり、その直径は上記連通穴１８の直径よりも更に小さく、貫通穴２２と連通穴１８との境界には下方を向いた円環状肩面２４が規定されている。締付トルク付加部６の外周面２６及び上面２８は、締結具収納部４内に収納される締結具の外周面及び上面に対応した形状及び寸法であるのが好適であり、図示の実施例においては締付トルク付加部６の外周面２６は六角ナットの外周面に対応した正六角形状（従って締付トルク付加部６の外径は締結具収納部４の外径よりも小さい）であり、上面２８の主部は平坦であるが角部外周部は面取りされている。締付トルク付加部６の貫通穴２２の直径は六角ナットが締結されるボルトの軸部の外径よりも幾分大きく、後に更に言及する如く、締結具収納部４に収容された六角ナットをボルトに締結する際には、締結の進行に応じてボルトの軸部が締結具収納部４の連通穴１８及び締付トルク付加部６の貫通穴２２を挿通する。
【００２３】
上述したとおりの締付トルク管理具２はそれ単独で市場に流通させることもできるが、図６及び図７（図７においては図面の簡略化のため収納穴８の内周面下端における面取加工の図示を省略しており、そして更に締結具即ち六角ナット３０を収納穴８内に圧入することによってリブ２１が幾分弾性乃至塑性変形されるが、かような変形を図示することなくリブ２１が変形しない状態で六角ナット３０に重ねて図示している）に示すとおり、締結具と組み合わせて市場に流通させるのが好都合である。図６及び図７に示す実施形態においては、締結具の典型例として六角ナット３０が図示されている。かかる六角ナット３０の外周面３２は正六角形であり、六角ナット３０の製作誤差が充分に小さい場合には締結具収納部４に形成されている収納穴８に関する上記仮想正六角形よりも若干大きい（換言すれば、締付トルク管理具２における締結具収納部４の収納穴８の仮想正六角形は六角ナット３０の正六角形である外周面３２よりも小さく設定されている）。そして、六角ナット３０の主部、即ち下端部を除く部分、が締結具収納部４の収納穴８内に圧入され、六角ナット３０の上面外周縁部３４の内側には形成されている円筒形突起３６の上面が上記環状肩面２４に当接される（締結具収納部４の収納穴８に収納される六角ナット３０が円筒形突起３６を有しない形態である場合には、六角ナット３０の上面外周縁部３４が上記環状片面２０に当接される）。そして、六角ナット３０は、上記締付回転方向（図４において時計方向、図５において反時計方向）に見て上記凹部１６の下流側に位置する部分１５ａと共にリブ２１が六角ナット３０の側面に圧接することによって収納穴８内に保持される。
而して、上述したとおり、適宜の合成樹脂から射出成形或いは圧縮成形される締付トルク管理具２の製作公差は比較的小さく、従って収納穴８の内周面の製作誤差は比較的小さいのに対して、六角ナット３０の製作公差は比較的大きく、従って六角ナット３０の外周面の製作誤差は比較的大きいが、本発明に従って構成された締付トルク管理具２においては、収納穴８の内周面に対する六角ナット３０の外周面の比較的大きな製作誤差が収納穴８の内周面の所要部分に形成されているリブ２１の弾性乃至塑性変形によって補償される。それ故に、収納穴８内に六角ボルト３０を圧入するのに必要な力が過大或いは過小になることが可及的に回避される。
【００２４】
上述したとおりの締付トルク管理具２の使用様式について説明すると、締付トルク管理具２に六角ナット３０が既に組み合わされている場合には、その六角ナット３０を締結すべきボルトの軸部３８（図６）に被嵌する（締付トルク管理具２に六角ナット３０が組み合わされていない場合には、ボルトに仮締結した六角ナット３０を締付トルク管理具２の締結具収納部４に形成されている収納穴８に収納する）。次いで、適宜の締付具（図示していない）を締付トルク付加部６の外周面に係合して締結方向（図４において時計方向、図５において反時計方向）に回転する。締結具から締付トルク付加部６に加えられるトルクは締結具収納部４を介して六角ナット３０に伝えられ、これによって六角ナット３０がボルトの軸部３８に締め付けられる。ボルトの軸部３８に対して六角ナット３０が軸線方向に相対的に比較的長い距離に渡って進行する場合には、図６に二点鎖線で図示する如く、ボルトの軸部３８が締結具収納部４に形成されている連通穴１８及び締付トルク付加部６に形成されている貫通穴２２に進入し連通穴１８及び貫通穴２２を挿通する。
【００２５】
六角ナット３０に伝えられる締付トルクが所定閾値を超えると、図８（図８においても、図７と同様に、図面の簡略化のため収納穴８の内周面下端における面取加工の図示を省略している）に図示する如く、締結具収納部４に形成されている収納穴８の内周面、特に締付回転方向に見て凹部１６よりも下流側の部位（更に詳しくは締付回転方向に見て上流側の辺面１５と下流側の辺面１５との境界領域から上流側の辺面１５の凹部１６よりも下流側の部位）が締付回転方向とは反対側へ向かって押圧されて変形され、六角ナット３０に対して締付トルク管理具２が空転するようになり、かくしてボルトに対して六角ナット３０が所要締締付トルクで締結される。六角ナット３０に対して締付トルク管理具２が空転し始めた際には、六角ナット３０の外周面角部が締結具収納部４に形成されている収納穴８の凹部１６の上流面１６ｂに激しく衝突することがあるが、図示の実施形態においては凹部１６の底面１６ａと上流面１６ｂとが鈍角を形成している故に、六角ナット３０の外周面角部から凹部１６の上流面１６ｂに加えられる力が適宜に緩衝乃至消失され、締結具収納部４に亀裂が生成され締結具収納部４が破損されてしまうことが可及的に回避される。六角ナット３０に対して締付トルク管理具２が空転し始めた後においては、ボルトの軸部３８に所要締付トルクで締め付けられ六角ナット３０から締付トルク管理具２を充分容易に離脱することができる。
【００２６】
上述した実施形態においては、保持突出部は収納穴８の軸線方向に延びる１個のリブ２１から構成されているが、所望ならば、収納穴８の軸線方向又は周方向に間隔おいて軸線方向に延びる複数個のリブ、収納穴８の周方向に延びる１個或いは収納穴８の軸線方向又は周方向に間隔をおいて周方向に延びる複数個のリブ、或いは適宜に配設された複数個の突起（横断面形状は円形であるのが好都合である）から保持突出部を構成することもできる。図９は保持突出部の更に他の実施形態を図示している。かかる実施形態においては、辺面１５（図５を参照されたい）における上記締付回転方向（図９において反時計方向）に見て上記凹部１６の上流側に位置する部分１５ｂにはその表面全体に渡って隆起部４０が形成されていると共に、かかる隆起部４０の背面側には隆起部４０に沿って延在する溝４２が形成されている。かような実施形態においては、辺面１５における上記締付方向（図９において反時計方向）に見て凹部１６の下流側に位置する部分１５ａと共に隆起部４０が六角ナット３０の側面に圧接することによって六角ナット３０が収納穴８内に保持される。収納穴８の内周面に対する六角ナット３０の外周面の比較的大きな製作誤差は、隆起部４０の弾性変形によって補償され、収納穴８内に六角ボルト３０を圧入するのに必要な力が過大或いは過小になることが可及的に回避される。
【符号の説明】
【００２７】
２：締付トルク管理具
４：締結具収納部
６：締付トルク付加部
８：収納穴
１５：辺面
１６：凹部
１６ａ：凹部の底面
１６ｂ：凹部の上流面
１６ｃ：凹部の下流面
１８：連通穴
２１：リブ（保持突出部）
２２：貫通穴
３０：六角ナット
３８：ボルトの軸部
【図１】
2019038062.tif 000003
【図２】
2019038062.tif 000004
【図３】
2019038062.tif 000005
【図４】
2019038062.tif 000006
【図５】
2019038062.tif 000007
【図６】
2019038062.tif 000008
【図７】
2019038062.tif 000009
【図８】
2019038062.tif 000010
【図９】
2019038062.tif 000011
【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
合成樹脂から一体に形成された締結具収納部と締付トルク付加部とを含み、
該締結具収納部には自由端が開口された収納穴が形成されており、該収納穴の内周面は締結具のトルク付加正多角形外周面に対応した正多角形内周面の各辺面の中間部に凹部を形成した形態であり、
締付回転方向に見て該正多角形内周面の辺面における該凹部の上流側に位置する部分には保持突出部が配設されており、
該締付トルク付加部に加えられ該締結具収納部を介して締結具に伝達される締付トルクが閾値を超えると、該収納穴の内周面が変形されて締結具に対して該締結具収納部が空転するようになり、かくして締結具の締付トルクが管理される、
ことを特徴とする締付トルク管理具。
【請求項２】
該保持突出部は該収納穴の軸線方向に延在するリブである、請求項１記載の締付トルク管理具。
【請求項３】
該リブの突出高さは０．１乃至０．５ｍｍであり、該リブの周方向幅は０．１乃至０．５ｍｍである、請求項２記載の締付トルク管理具。
【請求項４】
該リブの突出端部の横断面形状は半円形状である、請求項２又は３に記載の締付トルク管理具。
【請求項５】
該トルク付加正多角形外周面は正六角形であり、６個の辺面の各々において該凹部の上流側に位置する部分に該保持突出部が配設されている、請求項１から４までのいずれかに記載の締付トルク管理具。
【請求項６】
該締付トルク付加部の外周面は締結具のトルク付加正多角形外周面に対応した正多角形である、請求項１から５までのいずれかに記載の締付トルク管理具。
【請求項７】
請求項１から６までのいずれかに記載の締付トルク管理具と、該締付トルク管理具の該収納穴に少なくとも部分的に収納された締結具との組み合わせ。
【請求項８】
該締結具は該収納穴内に圧入されている、請求項７記載の組み合わせ。
【請求項９】
該締結具は六角ナットである、請求項７又は８記載の組み合わせ。
【手続補正２】
【補正対象書類名】明細書
【補正対象項目名】００１０
【補正方法】変更
【補正の内容】
【００１０】
即ち、本発明の一局面によれば、上記主たる技術的課題を達成する締付トルク管理具として、合成樹脂から一体に形成された締結具収納部と締付トルク付加部とを含み、
該締結具収納部には自由端が開口された収納穴が形成されており、該収納穴の内周面は締結具のトルク付加正多角形外周面に対応した正多角形内周面の各辺面の中間部に凹部を形成した形態であり、
締付回転方向に見て該正多角形内周面の辺面における該凹部の上流側に位置する部分には保持突出部が配設されており、
該締付トルク付加部に加えられ該締結具収納部を介して締結具に伝達される締付トルクが閾値を超えると、該収納穴の内周面が変形されて締結具に対して該締結具収納部が空転するようになり、かくして締結具の締付トルクが管理される、
ことを特徴とする締付トルク管理具が提供される。
【手続補正３】
【補正対象書類名】明細書
【補正対象項目名】００１５
【補正方法】変更
【補正の内容】
【００１５】
【図１】本発明に従って構成された締付トルク管理具の好適実施形態を上方から見た斜面図。
【図２】図１に示す締付トルク管理具を下方から見た斜面図。
【図３】図１に示す締付トルク管理具の、一部を断面で示す正面図。
【図４】図１に示す締付トルク管理具の平面図。
【図５】図１に示す締付トルク管理具の底面図。
【図６】図１に示す締付トルク管理具と締結具の典型例であるナットとの組み合わせの、一部を断面で示す正面図。
【図７】図６に示す組み合わせの断面図。
【図８】図６に示す組み合わせにおいて、ナットの締付トルクが閾値を超えてナットに対して締付トルク管理具が空転した状態を示す断面図。
【図９】保持突出部の変形例を示す、図７と同様の断面図。
【手続補正４】
【補正対象書類名】明細書
【補正対象項目名】００１８
【補正方法】変更
【補正の内容】
【００１８】
図１乃至図３と共に図４及び図５を参照して説明を続けると、締結具収納部４は全体として筒形状であり、自由端即ち下端が開放された収納穴８が形成されている。締結具収納部４の環状下面１０は平坦であり、同様に環状上面１２も平坦であり環状下面１０と平行に延在している。締結具収納部４の外周面１４は円筒形状である。
【手続補正５】
【補正対象書類名】明細書
【補正対象項目名】００１９
【補正方法】変更
【補正の内容】
【００１９】
上記収納穴８の内周面は、収納する締結具のトルク付加正多角形外周面に対応した仮想正多角形内周面の各辺面１５の中間部に凹部１６を形成した形態であることが重要である。図示の実施形態においては、後述するとおり締結具は六角ナットであり、従って締結具のトルク付加正多角形外周面は正六角形であり、仮想正多角形内周面（図５に二点鎖線で示す内周面）も正六角形である。凹部１６の各々は底面１６ａと共に両側面、即ち締付回転方向（図４において時計方向、図５において反時計方向）に見て上流側に位置する上流面１６ｂ及び下流側に位置する下流面１６ｃを有する。底面１６ａと上流面１６ｂとが形成する角度αは、１００乃至１６０度程度であるのが殊に好ましい、鈍角であるのが好適である。図示の実施形態においては、底面１６ａは外周面１４と同心状の円の一部をなす円弧形状であり、上流面１６ｂは辺面１５に対して外方に向かって上記締付回転方向に傾斜して延在している。底面１６ａと上流面１６ｂとは弧状境界面１６ｄを介して滑らかに接続されているのが好適である。一方、下流面１６ｃは辺面１５に対して垂直に延在している。上記締付回転方向において凹部１６よりも下流側の辺面１５ａの周方向長さＬ１は凹部１６よりも上流の辺面１５ｂの周方向長さＬ２よりも長いのが好都合である（この場合には、後の説明から明確に理解される如く、締付トルクの閾値は凹部１６よりも下流側の辺面１５ａの変形によって規定される）。図３を参照することによって理解される如く、締結具収納部４の環状下面１０に開口する収納穴８の内周面下端部には面取加工が施されている。図示の実施形態においては、締結具収納部４には上記収納穴８の上端に続く連通穴１８も形成されている。図５を参照することによって明確に理解される如く、連通穴１８の横断面形状は円形であり、その直径は上記収納穴８における仮想正六角形に内接する円の直径よりも幾分小さく、収納穴８と連通穴１８との境界には下方を向いた環状肩面２０が規定されている。
【手続補正６】
【補正対象書類名】明細書
【補正対象項目名】００２３
【補正方法】変更
【補正の内容】
【００２３】
上述したとおりの締付トルク管理具２はそれ単独で市場に流通させることもできるが、図６及び図７（図７においては図面の簡略化のため収納穴８の内周面下端における面取加工の図示を省略しており、そして更に締結具即ち六角ナット３０を収納穴８内に圧入することによってリブ２１が幾分弾性乃至塑性変形されるが、かような変形を図示することなくリブ２１が変形しない状態で六角ナット３０に重ねて図示している）に示すとおり、締結具と組み合わせて市場に流通させるのが好都合である。図６及び図７に示す実施形態においては、締結具の典型例として六角ナット３０が図示されている。かかる六角ナット３０の外周面３２は正六角形であり、六角ナット３０の製作誤差が充分に小さい場合には締結具収納部４に形成されている収納穴８に関する上記仮想正六角形よりも若干大きい（換言すれば、締付トルク管理具２における締結具収納部４の収納穴８の仮想正六角形は六角ナット３０の正六角形である外周面３２よりも小さく設定されている）。そして、六角ナット３０の主部、即ち下端部を除く部分、が締結具収納部４の収納穴８内に圧入され、六角ナット３０の上面外周縁部３４の内側には形成されている円筒形突起３６の上面が上記円環状肩面２４に当接される（締結具収納部４の収納穴８に収納される六角ナット３０が円筒形突起３６を有しない形態である場合には、六角ナット３０の上面外周縁部３４が上記環状肩面２０に当接される）。そして、六角ナット３０は、上記締付回転方向（図４において時計方向、図５において反時計方向）に見て上記凹部１６の下流側に位置する部分１５ａと共にリブ２１が六角ナット３０の側面に圧接することによって収納穴８内に保持される。
而して、上述したとおり、適宜の合成樹脂から射出成形或いは圧縮成形される締付トルク管理具２の製作公差は比較的小さく、従って収納穴８の内周面の製作誤差は比較的小さいのに対して、六角ナット３０の製作公差は比較的大きく、従って六角ナット３０の外周面の製作誤差は比較的大きいが、本発明に従って構成された締付トルク管理具２においては、収納穴８の内周面に対する六角ナット３０の外周面の比較的大きな製作誤差が収納穴８の内周面の所要部分に形成されているリブ２１の弾性乃至塑性変形によって補償される。それ故に、収納穴８内に六角ボルト３０を圧入するのに必要な力が過大或いは過小になることが可及的に回避される。
【手続補正７】
【補正対象書類名】明細書
【補正対象項目名】００２４
【補正方法】変更
【補正の内容】
【００２４】
上述したとおりの締付トルク管理具２の使用様式について説明すると、締付トルク管理具２に六角ナット３０が既に組み合わされている場合には、その六角ナット３０を締結すべきボルトの軸部３８（図６）に被嵌する（締付トルク管理具２に六角ナット３０が組み合わされていない場合には、ボルトに仮締結した六角ナット３０を締付トルク管理具２の締結具収納部４に形成されている収納穴８に収納する）。次いで、適宜の締付具（図示していない）を締付トルク付加部６の外周面に係合して締付回転方向（図４において時計方向、図５において反時計方向）に回転する。締結具から締付トルク付加部６に加えられるトルクは締結具収納部４を介して六角ナット３０に伝えられ、これによって六角ナット３０がボルトの軸部３８に締め付けられる。ボルトの軸部３８に対して六角ナット３０が軸線方向に相対的に比較的長い距離に渡って進行する場合には、図６に二点鎖線で図示する如く、ボルトの軸部３８が締結具収納部４に形成されている連通穴１８及び締付トルク付加部６に形成されている貫通穴２２に進入し連通穴１８及び貫通穴２２を挿通する。
【手続補正８】
【補正対象書類名】明細書
【補正対象項目名】００２５
【補正方法】変更
【補正の内容】
【００２５】
六角ナット３０に伝えられる締付トルクが所定閾値を超えると、図８（図８においても、図７と同様に、図面の簡略化のため収納穴８の内周面下端における面取加工の図示を省略している）に図示する如く、締結具収納部４に形成されている収納穴８の内周面、特に締付回転方向に見て凹部１６よりも下流側の部位（更に詳しくは締付回転方向に見て上流側の辺面１５と下流側の辺面１５との境界領域から上流側の辺面１５の凹部１６よりも下流側の部位）が締付回転方向とは反対側へ向かって押圧されて変形され、六角ナット３０に対して締付トルク管理具２が空転するようになり、かくしてボルトに対して六角ナット３０が所要締付トルクで締結される。六角ナット３０に対して締付トルク管理具２が空転し始めた際には、六角ナット３０の外周面角部が締結具収納部４に形成されている収納穴８の凹部１６の上流面１６ｂに激しく衝突することがあるが、図示の実施形態においては凹部１６の底面１６ａと上流面１６ｂとが鈍角を形成している故に、六角ナット３０の外周面角部から凹部１６の上流面１６ｂに加えられる力が適宜に緩衝乃至消失され、締結具収納部４に亀裂が生成され締結具収納部４が破損されてしまうことが可及的に回避される。六角ナット３０に対して締付トルク管理具２が空転し始めた後においては、ボルトの軸部３８に所要締付トルクで締め付けられ六角ナット３０から締付トルク管理具２を充分容易に離脱することができる。
【手続補正９】
【補正対象書類名】明細書
【補正対象項目名】００２６
【補正方法】変更
【補正の内容】
【００２６】
上述した実施形態においては、保持突出部は収納穴８の軸線方向に延びる１個のリブ２１から構成されているが、所望ならば、収納穴８の軸線方向又は周方向に間隔おいて軸線方向に延びる複数個のリブ、収納穴８の周方向に延びる１個或いは収納穴８の軸線方向又は周方向に間隔をおいて周方向に延びる複数個のリブ、或いは適宜に配設された複数個の突起（横断面形状は円形であるのが好都合である）から保持突出部を構成することもできる。図９は保持突出部の更に他の実施形態を図示している。かかる実施形態においては、辺面１５（図５を参照されたい）における上記締付回転方向（図９において反時計方向）に見て上記凹部１６の上流側に位置する部分１５ｂにはその表面全体に渡って隆起部４０が形成されていると共に、かかる隆起部４０の背面側には隆起部４０に沿って延在する溝４２が形成されている。かような実施形態においては、辺面１５における上記締付回転方向（図９において反時計方向）に見て凹部１６の下流側に位置する部分１５ａと共に隆起部４０が六角ナット３０の側面に圧接することによって六角ナット３０が収納穴８内に保持される。収納穴８の内周面に対する六角ナット３０の外周面の比較的大きな製作誤差は、隆起部４０の弾性変形によって補償され、収納穴８内に六角ボルト３０を圧入するのに必要な力が過大或いは過小になることが可及的に回避される。
【手続補正１０】
【補正対象書類名】図面
【補正対象項目名】図５
【補正方法】変更
【補正の内容】
【図５】
2019038062.tif 000012